(57)【要約】【課題】新たな配線や、ネットワークなどの接続設定や、新たな利用料を負担することなく、地上波、衛星放送、ケーブル放送といったあらゆる放送波を録画し、離れた部屋に設置されたモニタや、外出先のモニタにも映像を表示し、所望の場所で映像を選択し、視聴することができるようにする。【解決手段】アンテナ102からの放送波を受信し復号した映像信号をリモコン103に無線伝送するチューナー101と、チューナーからの映像信号を受信して内蔵された記憶部に保存するとともにモニタ106に映像を無線送信するリモコン103と、リモコンからの映像信号を受信して表示するモニタ106によって映像表示システムを構成し、リモコン103を持ち運ぶことで、所望の場所で所望の映像を選択・視聴できるようにする。【選択図】図１
2011124927.tif 000002
【特許請求の範囲】
【請求項１】
放送波を受信し、復号した映像信号をリモコンに伝送するチューナーと、
前記チューナーからの映像信号を受信し、映像記憶部に保存するとともに、モニタに映像信号を送信するリモコンと、
前記リモコンからの映像信号を受信して表示するモニタとを具備することを特徴とする映像表示システム。
【請求項２】
請求項１記載の映像表示システムにおいて、
前記チューナーが、放送波を受信する放送波受信部と、受信した放送波を復号する映像デコード部と、映像信号を送信する映像送信部と、チャンネル切替信号を受信するチャンネル切替信号受信部とを含むことを特徴とする映像表示システム。
【請求項３】
請求項１記載の映像表示システムにおいて、
前記リモコンが、チューナーから映像信号を受信する映像受信部と、映像信号を保存する内蔵または着脱式の映像記憶部と、モニタに映像信号を送信する映像送信部と、チューナーにチャンネル切替信号を送信するチャンネル切替信号送信部と、操作ボタンとを含むことを特徴とする映像表示システム。
【請求項４】
請求項１記載の映像表示システムにおいて、
前記モニタが、映像信号を受信する映像受信部と、映像信号を表示するディスプレイとを含むことを特徴とする映像表示システム。
【請求項５】
請求項１記載の映像表示システムにおいて、
前記リモコンが、前記チューナーから映像信号を受信して前記モニタへ送信し、前記モニタが、前記リモコンから映像信号を受信して表示することを特徴とする映像表示システム。
【請求項６】
請求項１記載の映像表示システムにおいて、
前記モニタが、前記チューナーから映像信号を直接受信して表示することを特徴とする映像表示システム。
【請求項７】
請求項１記載の映像表示システムにおいて、
保存した映像信号を再生する際に、前記リモコンが、前記映像記憶部から映像信号を再生して送信し、前記モニタが、前記リモコンから映像信号を受信して表示することを特徴とする映像表示システム。
【請求項８】
請求項１記載の映像表示システムにおいて、
前記モニタが、モニタ識別信号受信部を備え、前記リモコンからモニタの識別信号を送信することにより、受信を開始することを特徴とする映像表示システム。
【請求項９】
請求項１記載の映像表示システムにおいて、
前記モニタが、リモコン信号受信部を備え、前記リモコンからリモコンＩＤ信号を送信することにより、受信を開始することを特徴とする映像表示システム。
【請求項１０】
請求項１記載の映像表示システムにおいて、
前記リモコンが、映像出力端子を備え、前記リモコンと前記モニタとをケーブルで接続して、映像信号をモニタに表示できるようにしたことを特徴とする映像表示システム。
【請求項１１】
請求項１記載の映像表示システムにおいて、
前記チューナーから前記リモコンへの映像信号の伝送の周波数は、前記リモコンから前記モニタへの映像信号の伝送の周波数よりも、低い周波数で伝送するように構成したことを特徴とする映像表示システム。
【請求項１２】
請求項１記載の映像表示システムに用いるリモコン装置であって、
チューナーから映像信号を受信する映像受信部と、映像信号を保存する内蔵または着脱式の映像記憶部と、モニタに映像信号を送信する映像送信部と、チューナーにチャンネル切替信号を送信するチャンネル切替信号送信部と、操作ボタンとを含むことを特徴とするリモコン装置。
【請求項１３】
請求項１２記載のリモコン装置において、
さらに、ディスプレイを備え、受信したまたは再生した映像信号を表示できるように構成したことを特徴とするリモコン装置。
【請求項１４】
チューナーにおいて、放送波を受信し、復号した映像信号をリモコンに伝送し、
リモコンにおいて、前記チューナーからの映像信号を受信し、映像記憶部に保存するとともに、モニタに映像信号を送信し、
モニタにおいて、前記リモコンからの映像信号を受信して表示することを特徴とする映像表示方法。
【請求項１５】
請求項１４記載の映像表示方法において、
保存した映像信号を再生する際に、前記リモコンが、前記映像記憶部から映像信号を再生して送信し、前記モニタが、前記リモコンから映像信号を受信して表示することを特徴とする映像表示方法。
【請求項１６】
請求項１４記載の映像表示方法において、
映像信号を映像記憶部に保存しない場合は、モニタが、前記チューナーから直接映像信号を受信して表示することを特徴とする映像表示方法。
【発明の詳細な説明】
【技術分野】
【０００１】
本発明は、所望の場所で所望の映像を選択・視聴できるようにした映像表示システム、映像表示方法、およびそれに用いるリモコン装置に関する。
【背景技術】
【０００２】
テレビ放送などの放送局から映像が一方向に配信されるコンテンツを、好きなときに視聴するために録画する手法が一般化しており、その手法の利便性を高めるために、さまざまな方法が提案されてきた。
【０００３】
現行製品としては、例えば、図１０(a)に示すように、地上波アンテナ、ＢＳ／ＣＳアンテナ、ケーブルテレビ等のアンテナ901からの信号を受信してレコーダ903で録画し、レコーダから再生して無線でモニタ902に映像を伝送する方法が提案されている。
【０００４】
また、図１０(b)に示すように、録画された映像をDVDなどの記録媒体に複製する代わりに、レコーダ907,910に録画した映像を宅内ネットワーク912を介して別の部屋のレコーダに伝送し、そのモニタ906,909に映像を表示する方法が提案されている。
【０００５】
また、携帯電話にチューナーおよび録画機能を搭載し、家の外でも番組を視聴および録画できる方法が提案されている。
【０００６】
さらに、特許文献１および特許文献２に記載されているように、ネットワーク916を介したサーバー917に番組を録画し、端末914およびモニタ913で視聴する方法が提案されている（図１０(c)）。
【０００７】
なお、図１０(a)〜(c)の従来技術において、いずれもレコーダを操作するためのリモコン904,908,911,915が設けられている。
【先行技術文献】
【特許文献】
【０００８】
【特許文献１】特開２００５−１９８１１０号公報
【特許文献２】特開２００３−１９９０００号公報
【発明の概要】
【発明が解決しようとする課題】
【０００９】
しかしながら、図１０(a)に示される、レコーダ903から無線でモニタ902に映像を伝送する方法では、無線が届かない別の部屋のモニタに映像を表示することはできなかった。
【００１０】
また、図１０(b)に示される、ネットワーク912を介して別の部屋に伝送し、そのモニタ909に表示する方法では、機器を接続や煩雑な設定が必要であった。また、記録媒体に複製または移動するには、手間と転送の時間が必要であり、視聴したい映像を事前に選択しておかなければならなかった。
【００１１】
また、携帯端末の利用に関して、衛星放送、ケーブル放送といった地上波以外の放送波を受信するアンテナを小型の携帯端末に搭載するには、アンテナの小型化等の課題があり、現時点では視聴できる番組が地上波放送に限定されている。
【００１２】
さらに、図１０(c)に示される、ネットワーク916を介してサーバー917に録画する方法では、現在の放送法の制約があり、実現したとしても新たにサーバー運営者との契約および利用料が発生する場合がある。また、認証のために視聴可能なモニタが制約される場合がある、といった問題があった。
【００１３】
本発明は、これらの問題点を解決し、新たな配線や、ネットワーク接続の設定や、新たな利用料が不要で、地上波、衛星放送、ケーブル放送といったあらゆる放送波を録画することができ、離れた部屋に設置されたモニタや外出先のモニタにも映像を表示し、所望の場所で映像を選択し、視聴することができる映像表示システムを提供することを目的とする。
【課題を解決するための手段】
【００１４】
本発明の映像表示システムは、放送波を受信し、復号した映像信号をリモコンに伝送するチューナーと、前記チューナーからの映像信号を受信し、映像記憶部に保存するとともに、モニタに映像信号を送信するリモコンと、前記リモコンからの映像信号を受信して表示するモニタとを具備することを特徴とするものである。
また、本発明の映像表示システムにおいて、前記チューナーが、放送波を受信する放送波受信部と、受信した放送波を復号する映像デコード部と、映像信号を送信する映像送信部と、チャンネル切替信号を受信するチャンネル切替信号受信部とを含むものでよい。
また、本発明の映像表示システムにおいて、前記リモコンが、チューナーから映像信号を受信する映像受信部と、映像信号を保存する内蔵または着脱式の映像記憶部と、モニタに映像信号を送信する映像送信部と、チューナーにチャンネル切替信号を送信するチャンネル切替信号送信部と、操作ボタンとを含むものでよい。
また、本発明の映像表示システムにおいて、前記モニタが、映像信号を受信する映像受信部と、映像信号を表示するディスプレイとを含むものでよい。
また、本発明の映像表示システムにおいて、前記リモコンが、前記チューナーから映像信号を受信して前記モニタへ送信し、前記モニタが、前記リモコンから映像信号を受信して表示するものでよい。
また、本発明の映像表示システムにおいて、前記モニタが、前記チューナーから映像信号を直接受信して表示するものでよい。
また、本発明の映像表示システムにおいて、保存した映像信号を再生する際に、前記リモコンが、前記映像記憶部から映像信号を再生して送信し、前記モニタが、前記リモコンから映像信号を受信して表示するものでよい。
また、本発明の映像表示システムにおいて、前記モニタが、モニタ識別信号受信部を備え、前記リモコンからモニタの識別信号を送信することにより、受信を開始するものでよい。
また、本発明の映像表示システムにおいて、前記モニタが、リモコン信号受信部を備え、前記リモコンからリモコンＩＤ信号を送信することにより、受信を開始するものでよい。
また、本発明の映像表示システムにおいて、前記リモコンが、映像出力端子を備え、前記リモコンと前記モニタとをケーブルで接続して、映像信号をモニタに表示できるようにしたものでよい。
また、本発明の映像表示システムにおいて、前記チューナーから前記リモコンへの映像信号の伝送の周波数は、前記リモコンから前記モニタへの映像信号の伝送の周波数よりも、低い周波数で伝送するように構成したものでよい。
【００１５】
本発明の映像表示システムに用いるリモコン装置は、チューナーから映像信号を受信する映像受信部と、映像信号を保存する内蔵または着脱式の映像記憶部と、モニタに映像信号を送信する映像送信部と、チューナーにチャンネル切替信号を送信するチャンネル切替信号送信部と、操作ボタンとを含むことを特徴とするものである。
また、本発明のリモコン装置において、さらに、ディスプレイを備え、受信したまたは再生した映像信号を表示できるように構成したものでよい。
【００１６】
本発明の映像表示方法は、チューナーにおいて、放送波を受信し、復号した映像信号をリモコンに伝送し、リモコンにおいて、前記チューナーからの映像信号を受信し、映像記憶部に保存するとともに、モニタに映像信号を送信し、モニタにおいて、前記リモコンからの映像信号を受信して表示することを特徴とするものである。
また、本発明の映像表示方法において、保存した映像信号を再生する際に、前記リモコンが、前記映像記憶部から映像信号を再生して送信し、前記モニタが、前記リモコンから映像信号を受信して表示するものでよい。
また、本発明の映像表示方法において、映像信号を映像記憶部に保存しない場合は、モニタが、前記チューナーから直接映像信号を受信して表示するものでよい。
【発明の効果】
【００１７】
本発明によれば、新たな配線や、ネットワーク接続の設定や、新たな利用料が不要で、地上波、衛星放送、ケーブル放送といったあらゆる放送波を録画することができ、離れた部屋に設置されたモニタや外出先のモニタにも映像を表示し、所望の場所で映像を選択し、視聴することができる。
【図面の簡単な説明】
【００１８】
【図１】本発明の一実施例の映像表示システムの全体構成を示す図である。
【図２】本発明の一実施例の他の部屋での再生を示す図である。
【図３】本発明の一実施例の従来のモニタでの再生を示す図である。
【図４】本発明の一実施例のチューナーの内部構成を説明する図である。
【図５】本発明の一実施例のリモコンの内部構成を説明する図である。
【図６】本発明の一実施例のモニタの内部構成を説明する図である。
【図７】本発明の一実施例の放送波の受信の流れを説明する図である。
【図８】本発明の一実施例の録画の流れを説明する図である。
【図９】本発明の一実施例の再生の流れを説明する図である。
【図１０】従来技術の構成を説明する図である。
【発明を実施するための形態】
【００１９】
以下、図面を用いて、本発明の好ましい実施の形態について説明する。
【００２０】
図１乃至図３は、本発明の一実施例の、チューナーとリモコンとモニタから構成される映像表示システムを示す。図１において、映像伝送機能付きチューナー（以下、チューナーという）101は、地上波アンテナ、BS/CSなどの衛星放送のアンテナ、ケーブルテレビ、ネットワークといったアンテナ102から受信した放送波を復号し、復号した映像信号をレコーダ機能付きリモコン（以下、リモコンという）103に無線で伝送104する。リモコン103は、チューナー101にチャンネル切替信号を伝送105してユーザ所望の番組を選択すると共に、チューナーから受信した映像信号を、無線映像受信機能付きモニタ（以下、モニタという）106に伝送107する。さらに、リモコンに内蔵された映像記憶部に、受信した映像を録画する。モニタ106は、リモコンから受信した映像信号をディスプレイに表示する。
【００２１】
また、録画をしないで受信した映像をそのままモニタに表示したい場合には、リモコン103を介さずに映像信号をチューナー101からモニタ106に直接伝送してもよい。これにより、無線伝送に必要な電力を半減することができる。
【００２２】
また、チューナー101からリモコン103への映像信号の無線伝送の周波数は、リモコン103からモニタ106への映像信号の無線伝送の周波数よりも、低い周波数で伝送するように構成すればよい。チューナーとリモコンとの間には障害物が入る可能性が高いが、無線伝送の周波数を低くすることにより、障害物の影響を受けにくくすることができる。
【００２３】
図２は別の部屋Ｂのモニタに映像を表示する場合を示すもので、部屋Ａのチューナー101、リモコン103、モニタ106によって録画された映像は、たとえば別の部屋Ｂに設置されている無線映像受信機能付きモニタ108にも、リモコン103を持ち込むだけで同様に表示できる。その際、あらかじめリモコン103に登録されたモニタ108のモニタ識別番号をリモコンから発信し、モニタ108がその識別番号を受信して当該番号である場合は映像の受信を開始する。また、別の方法として、赤外線、可視光、超音波等の指向性のある伝送方法を用いて、受信させたいモニタに向けてリモコンからリモコンＩＤ信号を送り、リモコン受信部がそれを受信して映像の受信を開始するようにしてもよい。
【００２４】
さらに、無線映像受信機能が搭載されていない従来のモニタ109に対しては、図３に示すように、映像信号を伝送する映像信号ケーブル110でリモコン103と接続することにより、リモコンに録画された映像を視聴することができる。
【００２５】
次に、図４を用いて、チューナー101の内部構成について説明する。放送波受信部201においてアンテナ等からの放送波を受信する。デジタル放送等で放送波を復号する際に必要なB-CASカード等の暗号鍵を放送波暗号鍵読取り部202にて読み取り、映像デコード部203にて映像信号に変換する。無線映像送信部204にて映像信号はリモコン103に無線で伝送される。一方、チャンネル切替信号受信部205にてリモコンからの切替信号を受信し、復号する放送波を選択する。206は電源部であり、各部へ電源を供給する。上記構成のチューナー101に接続されるケーブルは、アンテナおよび電源ケーブルのみである。通常の家庭では、これらのケーブルは壁から供給されることが多いため、チューナーを設置する際に、壁際に邪魔にならないような配置や、壁に貼り付けるといった設置が可能になり、床上にケーブルを這わせる必要がなく、高い清掃性を実現できる。
【００２６】
次に、図５を用いて、リモコン103の内部構成について説明する。無線映像受信部210にてチューナー101から伝送された映像信号を受信し、無線映像送信部211にて受信した映像をモニタ106に無線で伝送する。また、映像記憶部２１２は内蔵又は着脱式のハードディスクやフラッシュメモリ等の半導体メモリなどから構成され、録画時には、それに受信した映像を記録し、再生時には、これから映像信号を読取り、モニタ106に無線伝送する。操作ボタン213にて電源のオンオフ、チャンネル切り替え、録画・再生等の操作を受付け、チャンネル切替信号送信部214にて随時チューナー101に切替信号を送信する。また、操作画面生成部215にて録画リストの選択、録画予約などの画面を生成し、映像信号としてモニタ106に伝送する。また、必要に応じて録画された映像をリモコンに搭載されたディスプレイ216に表示することで、屋外でも録画映像を視聴することができる。電源部217は、リモコンの各部に電源を供給するとともに、充電台から充電部218を通じて電源が供給され、不使用時に充電される。記憶部219は半導体メモリ等で構成され、録画予約情報、録画映像リスト等の情報が記録される。なお、記憶部219を、映像記憶部212の一部として構成してもよい。また、映像出力端子220は、無線映像受信機能が搭載されていない従来のモニタ108と接続し、録画映像を視聴するための端子である。
【００２７】
次に、図６を用いて、モニタ106の内部構成について説明する。無線映像受信部230にてリモコンからの映像信号を受信し、ディスプレイ231に表示する。モニタ識別信号受信部234は、リモコン103から送信されるモニタ識別信号を受信し、選択されたモニタであるか判別する。なお、この構成は、指向性のあるリモコンを用いる場合は、リモコンＩＤ信号受信部でもよい。電源部232はモニタの各部に電源を供給し、また、電源信号受信部233はリモコン103からの電源オンオフ信号を受信して、電源部232のオンオフを行う。
【００２８】
図７から図９を用いて、本実施例の動作の流れを示す。それぞれの図においての左側がチューナー101の、中央部がリモコン103の、右側がモニタ106の処理を示す。
【００２９】
図７は、放送波を受信してモニタに表示する動作の流れを示す。ステップ301において、リモコンの操作ボタンの電源ボタンが押下されたとき、リモコン自体の電源をオンにするとともに、ステップ302において電源ＯＮ信号をチューナーおよびモニタに送信する。ステップ303においてチューナーの電源をオンにするとともに、ステップ304においてモニタの電源をオンにする。ステップ305において、リモコンの操作ボタン213のチャンネルボタンが選択された場合、チャンネル信号をチューナーに送信し、ステップ306においてチューナーはチャンネル信号を受信する。ステップ307においてリモコンから指定されたチャンネル信号に従って放送波を受信し、ステップ308において暗号鍵を読み取り、放送波を復号する。ステップ309において、復号された映像信号をリモコンに送信する。ステップ310において、リモコンはチューナーから伝送された映像信号を受信し、ステップ311において受信した映像信号をモニタに送信する。ステップ312において、モニタは映像信号を受信し、ステップ313においてディスプレイに表示する。以下、ステップ307からステップ313の処理を繰り返す。
【００３０】
図８は放送信号を受信してリモコンで録画する動作の流れを示す。ステップ401において、リモコンの操作ボタンの録画ボタンが押された場合、または予約していた録画の時刻になった場合、ステップ402からステップ408の処理は、図７のステップ307からステップ313の処理と同等であるが、ステップ406にてリモコンから映像信号をモニタに送信したあと、ステップ409にてリモコンの内蔵又は着脱式映像記憶部212に映像信号を記録する。
【００３１】
図９は、リモコンの映像記憶部212に記録された映像信号を読み取りモニタに表示する動作の流れを示す。ステップ501において、リモコンの操作ボタンの再生ボタンが押された場合、リモコンはチューナーからの信号は受け付けることなく、ステップ502において内蔵又は着脱式映像記憶部212に記録された映像信号を読み取り、ステップ503にて映像信号をモニタに送信する。モニタは、ステップ504にて映像信号を受信し、ステップ505にて受信した映像信号をディスプレイに表示する。
【産業上の利用可能性】
【００３２】
本発明は、地上波放送、ＢＳ／ＣＳ放送、ケーブルテレビ等の放送を受信して、映像信号をモニタに表示するとともに、録画する映像表示システムに用いることができ、煩雑なネットワーク接続等を施すことなく、場所を選ばず、放送などリアルタイムに配信される映像を録画し、録画映像を効果的に視聴することができる。
【符号の説明】
【００３３】
１０１…映像伝送機能付きチューナー、１０２…アンテナ、１０３…レコーダー機能付きリモコン、１０４…無線映像伝送、１０５…チャンネル切替信号伝送、１０６…無線映像受信機能付きモニタ、１０７…無線映像伝送、１０８…無線映像受信機能付きモニタ、１０９…従来のモニタ、１１０…映像信号ケーブル、
２０１…放送波受信部、２０２…放送波暗号鍵読取り部、２０３…映像デコード部（チューナ）、２０４…無線映像送信部、２０５チャンネル切替信号受信部、２０６…電源部、
２１０…無線映像受信部、２１１…無線映像送信部、２１２…内蔵又は着脱式映像記憶部、２１３…操作ボタン、２１４…チャンネル切替信号送信部、２１５…操作画面生成部、２１６…ディスプレイ、２１７…電源部、２１８…充電部、２１９…記憶部、２２０…映像出力端子、
２３０…無線映像受信部、２３１…ディスプレイ、２３２…電源部、２３３…電源信号受信部、２３４…モニタ識別信号受信部、
９０１…アンテナ、９０２…モニタ、９０３…レコーダ、９０４…リモコン、９０６…モニタＡ、９０７…レコーダＡ、９０８…リモコンＡ、９０９…モニタＢ、９１０…レコーダＢ、９１１…リモコンＢ、９１２…宅内ネットワーク、９１３…モニタ、９１４…レコーダ、９１５…リモコン、９１６…ネットワーク、９１７…サーバー。
【図１】
2011124927.tif 000003
【図２】
2011124927.tif 000004
【図３】
2011124927.tif 000005
【図４】
2011124927.tif 000006
【図５】
2011124927.tif 000007
【図６】
2011124927.tif 000008
【図７】
2011124927.tif 000009
【図８】
2011124927.tif 000010
【図９】
2011124927.tif 000011
【図１０】
2011124927.tif 000012